(57)【要約】      （修正有）【課題】電子ビューファインダの表示部として液晶パネルが使用されている。電子ビューファインダの接眼部からの太陽光の入射による液晶パネルの劣化の程度を低減する。【解決手段】撮像対象の画像を表示する表示部と、表示部によって表示される画像を視認できる接眼部と、接眼部に接眼されていることを検出する検出部と、検出部の検出結果に基づいて、接眼部を介して表示部に入射される入射光の強さを制限する制限部と、を備える。【選択図】図１
2013148790.tif 000002
【特許請求の範囲】
【請求項１】
撮像対象の画像を表示する表示部と、
前記表示部によって表示される前記画像を視認できる接眼部と、
前記接眼部に接眼されていることを検出する検出部と、
前記検出部の検出結果に基づいて、前記接眼部を介して前記表示部に入射される入射光の強さを制限する制限部と、
を備えることを特徴とする撮像装置。
【請求項２】
前記制限部は、
前記入射光を減光する
ことを特徴とする請求項１に記載の撮像装置。
【請求項３】
前記制限部は、
前記入射光を遮光する
ことを特徴とする請求項１または請求項２に記載の撮像装置。
【請求項４】
前記制限部は、
印加される電界の大きさに応じて、透過させる光の透過率を変化させるエレクトロクロミック材料を含む
ことを特徴とする請求項１から請求項３のいずれか一項に記載の撮像装置。
【請求項５】
前記検出部の検出結果に基づいて、前記エレクトロクロミック材料に印加される電界の大きさを制御する制御部
を備えることを特徴とする請求項４に記載の撮像装置。
【請求項６】
自撮像装置周囲の光の強さを測定する測光部を備え、
前記制御部は、
前記測光部によって測定された光の強さに応じて、前記エレクトロクロミック材料に印加される電界の大きさを制御する
ことを特徴とする請求項５に記載の撮像装置。
【請求項７】
被写体像が撮像された画像を表示する表示部と、
前記表示部によって表示される前記画像を視認できる接眼部と、
照射される所定の周波数領域の電磁波の強さに応じて、透過させる当該電磁波の透過率を変化させるフォトクロミック材料を含み、前記接眼部を介して前記表示部に入射される電磁波を抑制する制限部と、
を備えることを特徴とする撮像装置。
【発明の詳細な説明】
【技術分野】
【０００１】
本発明は、撮像装置に関する。
【背景技術】
【０００２】
近年、従来、表示機能を備える撮像装置として、電子ビューファインダ（ＥＶＦ：Ｅｌｅｃｔｒｉｃａｌ Ｖｉｅｗ Ｆｉｎｄｅｒ（以下、ＥＶＦと記載する。））などの表示装置を備える撮像装置が知られている（例えば、特許文献１を参照）。このような、撮像装置は、表示装置に表示部（例えば、液晶パネル）を備えており、撮像しようとしている画像を表示部に表示して、表示した画像が接眼部を介して視認される構造になっている。
【先行技術文献】
【特許文献】
【０００３】
【特許文献１】特開平１−５７２４８号公報
【発明の概要】
【発明が解決しようとする課題】
【０００４】
しかしながら、例えば、上述のような撮像装置は、接眼部から太陽光などの外光が入射されることがあり、この場合に、表示部の劣化を生じることがあるという問題があった。
【０００５】
本発明は、上記問題を解決すべくなされたもので、その目的は、表示部の劣化の程度を低減することができる撮像装置を提供することにある。
【課題を解決するための手段】
【０００６】
本発明の一実施形態は、撮像対象の画像を表示する表示部と、前記表示部によって表示される前記画像を視認できる接眼部と、前記接眼部に接眼されていることを検出する検出部と、前記検出部の検出結果に基づいて、前記接眼部を介して前記表示部に入射される入射光の強さを制限する制限部と、を備えることを特徴とする撮像装置である。
【０００７】
また、本発明の一実施形態は、被写体像が撮像された画像を表示する表示部と、前記表示部によって表示される前記画像を視認できる接眼部と、照射される所定の周波数領域の電磁波の強さに応じて、透過させる当該電磁波の透過率を変化させるフォトクロミック材料を含み、前記接眼部を介して前記表示部に入射される電磁波を抑制する制限部と、を備えることを特徴とする撮像装置である。
【発明の効果】
【０００８】
本発明によれば、撮像装置は、表示部の劣化の程度を低減することができる。
【図面の簡単な説明】
【０００９】
【図１】本発明の第１の実施形態に係る撮像装置の構成の一例を示す構成図である。
【図２】本実施形態における表示装置の構成の一例を示す構成図である。
【図３】本実施形態における撮像装置の動作を示すフローチャートである。
【図４】本実施形態における制御部を有する表示装置を備える撮像装置の構成の一例を示す構成図である。
【図５】本発明の第２の実施形態に係る撮像装置の構成の一例を示す構成図である。
【図６】本発明の第３の実施形態に係る撮像装置の構成の一例を示す構成図である。
【発明を実施するための形態】
【００１０】
［第１の実施形態]
以下、図面を参照して、本発明の第１の実施形態を説明する。
図１は、本実施形態の撮像装置１００の構成を示す概略ブロック図である。
本実施形態の撮像システム１は、撮像装置１００と、記憶媒体２００とを備えている。
記憶媒体２００は、撮像装置１００に対して着脱可能に接続される記憶部であり、例えば、撮像部２で撮像されて生成された画像データが記録される。
撮像装置１００は、撮像部２、制御部３、画像処理部４、記憶部５、バッファメモリ部６、表示装置７、受信部１０、操作部１１、カードコネクタ１２、電源部１３、及びバス１５を備えている。
【００１１】
撮像部２は、レンズ部２１、撮像素子２２、及びＡ/Ｄ変換部２３を備えており、被写体を撮像して画像データを生成する。この撮像部２は、設定された撮像条件（例えば絞り値、露出等）に基づいて制御部３により制御され、レンズ部２１を介して入力された被写体の光学像を、撮像素子２２の撮像面上に結像させる。また、撮像部２は、撮像素子２２から出力されたアナログ信号をＡ/Ｄ変換部２３においてデジタル信号に変換し、画像データを生成する。
なお、上述したレンズ部２１は、撮像装置１００に取り付けられて一体とされていてもよいし、撮像装置１００に着脱可能に取り付けられてもよい。
【００１２】
撮像素子２２は、撮像面に結像された光学像を光電変換したアナログ信号を、Ａ/Ｄ変換部２３に出力する。
Ａ/Ｄ変換部２３は、撮像素子２２から入力されたアナログ信号をデジタル信号に変換し、この変換したデジタル信号である画像データを出力する。
【００１３】
例えば、撮像部２は、操作部１１における静止画撮像操作に応じて、撮像した静止画の画像データを出力する。また、撮像部２は、操作部１１における動画撮像操作に応じて、所定の間隔で連続的に撮像した動画の画像データを出力する。そして、制御部３は、撮像部２によって撮像された静止画の画像データ及び動画の画像データを、バス１５、バッファメモリ部６及び画像処理部４を介して記憶媒体２００に記録させる。また、撮像部２は、操作部１１における撮像操作がされていない撮像待機状態の場合、所定の間隔で連続的に得られる画像データをスルー画像データ(スルー画）として出力する。そして、制御部３は、撮像部２から出力されたスルー画像データを、バッファメモリ部６や画像処理部４を介して表示装置７の表示部７１に表示させる。
【００１４】
画像処理部４は、記憶部５に記憶されている画像処理条件に基づいて、バッファメモリ部６に記憶されている画像データに対して画像処理を実行する。ここで、バッファメモリ部６に記憶されている画像データとは、例えば、撮像部２によって撮像された静止画の画像データ、スルー画像データ、もしくは動画の画像データ、または記憶媒体２００から読み出された画像データである。本実施形態の画像処理部４は、例えば、スルー画像データに含まれる輝度の情報に基づいて、スルー画像データの平均輝度値を算出する。
【００１５】
記憶部５には、撮像装置１００を制御するための、予め定められた撮像条件、画像処理条件、再生制御条件、表示制御条件、記録制御条件、及び出力制御条件などが記憶されている。例えば、記憶部５は、ＲＯＭ（Read Only Memory）である。
なお、記憶部５には、撮像された動画の画像データ及び静止画の画像データが記録されてもよい。この場合、例えば、記憶部５は、フラッシュメモリ等であってもよい。
【００１６】
バッファメモリ部６は、制御部３が撮像装置１００を制御する際の作業領域として利用される。撮像部２によって撮像された静止画の画像データ、スルー画像データ、もしくは動画の画像データ、または記憶媒体２００から読み出された画像データは、制御部３の制御による画像処理の過程においてバッファメモリ部６に一時的に記憶される。バッファメモリ部６は、例えばＲＡＭ（Random Access Memory）である。
【００１７】
操作部１１は、撮像装置１００に対して操作者が操作入力するための操作スイッチを備えている。例えば、操作部１１は、電源スイッチ、レリーズスイッチ、モードスイッチ、メニュースイッチ、上下左右選択スイッチ、確定スイッチ、取消スイッチ、及びその他の操作スイッチを備えている。操作部１１が備えている上述のそれぞれのスイッチは、操作されることに応じて、それぞれの操作に対応した操作信号を制御部３に出力する。
【００１８】
カードコネクタ１２には、カードメモリ等の着脱可能な記憶媒体２００が挿入される。
カードコネクタ１２を介して、この記憶媒体２００に画像データの書込み、読み出し、または消去が実行される。
【００１９】
電源部１３は、撮像装置１００が備えている各部に電力を供給する。電源部１３は、例えばバッテリーを備えており、当該バッテリーから供給される電力の電圧を、上述の各部における動作電圧に変換する。
【００２０】
バス１５は、撮像部２、制御部３、画像処理部４、記憶部５、バッファメモリ部６、表示装置７、操作部１１、及びカードコネクタ１２と接続され、各部から出力された画像データや制御信号等を転送する。
【００２１】
表示装置７は、例えば、電子ビューファインダー（ＥＶＦ：Ｅｌｅｃｔｒｉｃａｌ Ｖｉｅｗ Ｆｉｎｄｅｒ）であり、撮像部２によって撮像された画像データに基づく画像、もしくは記憶媒体２００から読み出された画像データに基づく画像、またはメニュー画面、もしくは撮像装置１００の動作状態や設定に関する情報等を表示する。また、表示装置７は、後述するように、表示部７１と、接眼部７３と、制限部７８と、検出部７９とを備えている。
【００２２】
次に、図２を参照して、表示装置７の構成を説明する。
図２は、本実施形態における表示装置７の構成の一例を示す図である。
表示部７１は、被写体像が撮像された画像を表示する。本実施形態の表示部７１は、例えば、照明部７１ａと、液晶パネル７１ｂとを備えている。
【００２３】
液晶パネル７１ｂは、被写体像が撮像された画像を表示する。本実施形態の、液晶パネル７１ｂは、例えば、透過性または半透過性の液晶ディスプレイ等である。
照明部７１ａは、液晶パネル７１ｂの、例えば裏面に備えられており、液晶パネル７１ｂに表示される画面の視認性を高めるように液晶パネル７１ｂを照明する。なお、図２においては、照明部７１ａは、例えばバックライトとして透過型または半透過型の液晶パネル７１ｂの裏面に配置されているが、反射型の液晶パネル７１ｂの前面を照明してもよい。
接眼部７３は、表示部７１によって表示される表示画像を視認できる。本実施形態の接眼部７３は、例えば光学レンズを含み、表示部７１によって表示されている画像を、ユーザが視認可能な位置に合焦させる。
【００２４】
検出部７９は、接眼部７３に接眼されていることを検出する。本実施形態の検出部７９は、例えば、赤外線反射式の接眼センサを備えており、ユーザが接眼部７３に接眼しているか否かを検出する。
【００２５】
制限部７８は、表示部７１と接眼部７３との光路上に備えられ、検出部７９の検出結果に基づいて、接眼部７３を介して表示部７１に入射される入射光の強さを制限する。本実施形態の制限部７８は、接眼部７３を介して表示部７１に入射光を減光する。なお、制限部７８は、接眼部７３を介して表示部７１に入射光を遮光してもよい。また、制限部７８は、例えば、印加される電界の大きさに応じて、透過させる光の透過率を変化させるエレクトロクロミック材料を含んでいる。ここで、エレクトロクロミック材料には、ポリアニリン、ビオロゲン、ポリオキソタングステート、三酸化タングステンなどが含まれる。
【００２６】
再び、図１を参照して本実施形態の撮像装置１００の構成を説明する。
制限部７８は、電圧印加線Ｌを介して制御部３に接続されている。電圧印加線Ｌは、制御部３から出力される駆動電圧を制限部７８に供給する。つまり、制限部７８には、制御部３から供給される駆動電圧に応じた大きさの電界が印加される。
制御部３は、撮像装置１００が備えている各部を制御する。本実施形態の制御部３は、例えば、制限部７８に含まれるエレクトロクロミック材料に印加される電界の大きさを電圧印加線Ｌを介して制御する。つまり、制御部３は、制限部７８の光の透過率を制御する。また、制御部３は、検出部７９の検出結果に基づいて、エレクトロクロミック材料に印加される電界の大きさを制御する。例えば、本実施形態の制御部３は、検出部７９によって、接眼部７３に接眼されていることを検出した結果に基づいて、エレクトロクロミック材料に印加される電界の大きさを制御する。例えば、制御部３は、検出部７９からバス１５を介して取得した検出結果が、接眼部７３に接眼されていることを示す場合には、制限部７８の光の透過率を接眼されていない場合よりも大きくするように制御する。また、例えば、制御部３は、検出部７９からバス１５を介して取得した検出結果が、接眼部７３に接眼されていないことを示す場合には、制限部７８の光の透過率を接眼されていない場合よりも小さくするように制御する。
【００２７】
次に、図３を参照して、本実施形態の撮像装置１００による外光を制限する動作を説明する。
図３は、撮像装置１００による外光を制限する動作を示すフローチャートである。
まず、検出部７９は、接眼部７３に接眼されていることを検出する（ステップＳ１００）。
次に、制御部３は、バス１５を介して検出部７９によって検出された結果を取得し、取得した結果に基づいて、接眼部７３に接眼されているか否かを判定する（ステップＳ１１０）。ここで、制御部３は、接眼されていると判定した場合（ステップＳ１１０：ＹＥＳ）には、処理をステップＳ１２０に進める。制御部３は、接眼されていないと判定した場合（ステップＳ１１０：ＮＯ）には、処理をステップＳ１３０に進める。
【００２８】
次に、制御部３は、ステップＳ１１０において、接眼されていると判定した場合、制限部７８の透過率を増加させるための制限部７８に出力する印加電圧値を算出する（ステップＳ１２０）。本実施形態の制御部３は、例えば、記憶部５に予め記憶されている印加電圧の情報のうち、接眼部７３に接眼されていない場合よりも大きい制限部７８の透過率に対応する印加電圧を読み出し、読み出した印加電圧の情報を制限部７８に出力する印加電圧値として算出する。
【００２９】
一方、制御部３は、ステップＳ１１０において、接眼されていないと判定した場合、制限部７８の透過率を減少させるための制限部７８に出力する印加電圧を算出する（ステップＳ１３０）。本実施形態の制御部３は、例えば、記憶部５に予め記憶されている印加電圧の情報のうち、接眼部７３に接眼されている場合よりも小さい制限部７８の透過率に対応する印加電圧を読み出し、読み出した印加電圧の情報を制限部７８に出力する印加電圧値として算出する。
【００３０】
次に、制御部３は、ステップＳ１２０又はステップＳ１３０において算出した印加電圧値に応じた電圧を、電圧印加線Ｌを介して、表示装置７の制限部７８に出力して、処理を終了する（ステップＳ１４０）。これにより、制限部７８は、制限部７８の透過率が、印加される電界に応じた光の透過率にされる。このようにして、本実施形態の撮像装置１００は、検出部７９の検出結果に基づいて、接眼部７３を介して表示部７１に入射される入射光の強さを制限する。
【００３１】
以上、説明したように、本実施形態の撮像装置１００は、撮像対象の画像を表示する表示部７１と、表示部７１によって表示される画像を視認できる接眼部７３と、接眼部７３に接眼されていることを検出する検出部７９と、検出部７９の検出結果に基づいて、接眼部７３を介して表示部７１に入射される入射光の強さを制限する制限部７８とを備えている。これにより、撮像装置１００は、例えば、接眼部７３にユーザが接眼していない場合に、接眼部７３から表示部７１に入射される太陽光などの外光の量を低減することができる。ここで、表示部７１が備える液晶パネル７１ｂや照明部７１ａなどの部品は、太陽光などの外光が照射され続けると劣化することがある。また、液晶パネル７１ｂや照明部７１ａなどの部品は、接眼部７３を含む光学系の屈折率（例えば、ＥＶＦの拡大倍率）によっては、光学系がない場合に比べて照射される外光の強度が強くなることがあり、この場合は劣化の程度が大きくなる。そこで、本実施形態の撮像装置１００は、接眼部７３にユーザが接眼していない場合に入射される外光の量を低減することにより、表示部７１の劣化の程度を低減する。つまり、本実施形態の撮像装置１００は、表示部７１の劣化の程度を低減することができる。
【００３２】
また、本実施形態の撮像装置１００の制限部７８は、入射光を減光する。例えば、本実施形態の撮像装置１００の制限部７８は、制限部７８を透過する電磁波（例えば、可視光線や紫外線）の透過率を小さくすることにより、入射光（電磁波）を減光する。これにより、本実施形態の撮像装置１００は、表示部７１の劣化の程度を低減することができる。
【００３３】
また、本実施形態の撮像装置１００の制限部７８は、入射光を遮光する。ここで、遮光とは、制限部７８の透過率が０［％］又は、ほぼ０［％］である。また、上述した減光には、遮光が含まれる。例えば、本実施形態の撮像装置１００の制限部７８は、制限部７８を透過する電磁波（例えば、可視光線や紫外線）の透過率を小さくすることにより、入射光（電磁波）を遮光する。これにより、本実施形態の撮像装置１００は、上述した減光する場合に比べて、表示部７１の劣化の程度を更に低減することができる。
【００３４】
また、本実施形態の撮像装置１００の制限部７８は、印加される電界の大きさに応じて、透過させる光の透過率を変化させるエレクトロクロミック材料を含んでいる。これにより、本実施形態の撮像装置１００は、制限部７８が減光又は遮光する入射光の量を変化させることができる。
【００３５】
なお、本実施形態においては、制限部７８に印加される電界の大きさを制御部３が制御する構成を説明したが、これに限られない。例えば、図４に示すように、撮像装置１００は、表示装置７が、制御部７４を備えている構成であってもよい。
図４は、制御部７４を備える撮像装置１００の構成の一例を示す図である。
この場合、制御部７４は、上述した制御部３と同様に、制限部７８に含まれるエレクトロクロミック材料に印加される電界の大きさを、電圧印加線Ｌを介して制御する。これによって、本実施形態の撮像装置１００は、制御部３の構成を変更することなく、表示装置７を取り付けることができる。
【００３６】
［第２の実施形態]
次に、図５を参照して、本発明の第２の実施形態を説明する。なお、上述した第１の実施形態において説明した構成及び動作については、説明を省略する。
【００３７】
図５は、本実施形態の撮像装置１００の構成の一例を示す構成図である。
本実施形態の撮像装置１００は、測光部７５を備えている。
測光部７５は、撮像装置１００（自撮像装置）周囲の光の強さを測定する。本実施形態の測光部７５は、例えば、撮像装置１００の周囲の明るさを検出する測光センサを備えており、測光センサによって測定した明るさの情報を出力する。
【００３８】
制御部３は、測光部７５によって測定された光の強さに応じて、エレクトロクロミック材料に印加される電界の大きさを制御する。つまり、制御部３は、測光部７５によって測定された周囲の明るさに応じて、制限部７８の光の透過率を変化させる。本実施形態の制御部３は、例えば、測光部７５から周囲の光の強さの情報を、バス１５を介して取得し、取得した光の強さの情報に基づいて、制限部７８の光の透過率を制御する。ここで、制御部３は、例えば、測光部７５から取得した撮像装置１００の周囲の光の強さが強い（つまり、撮像装置１００の周囲が明るい）場合には、制限部７８の光の透過率を小さくするように制御する。また、制御部３は、例えば、測光部７５から取得した撮像装置１００の周囲の光の強さが弱い（つまり、撮像装置１００の周囲が暗い）場合には、制限部７８の光の透過率を大きくするように制御する。
【００３９】
以上説明したように、本実施形態の撮像装置１００は、自撮像装置１００周囲の光の強さを測定する測光部７５を備えており、制御部３は、所定の設定値としての測光部７５によって測定された光の強さに応じて、エレクトロクロミック材料に印加される電界の大きさを制御する。これにより、本実施形態の撮像装置１００は、撮像装置１００の周囲の明るさに応じて、入射される外光の量を低減することができる。例えば、本実施形態の撮像装置１００は、撮像装置１００の周囲が明るい場合には、制限部７８の光の透過率を小さく変化させて低減することができる。つまり、本実施形態の撮像装置１００は、表示部７１の劣化の程度を低減することができる。
【００４０】
［第３の実施形態]
次に、図６を参照して、本発明の第３の実施形態を説明する。なお、上述した各実施形態において説明した構成及び動作については、説明を省略する。
【００４１】
図６は、本実施形態の撮像装置１００の構成の一例を示す構成図である。
本実施形態の制限部７８は、照射される所定の周波数領域の電磁波の強さに応じて、透過させる当該電磁波の透過率を変化させるフォトクロミック材料を含み、接眼部７３を介して表示部７１に入射される電磁波を抑制する。ここで、フォトクロミック材料には、アゾベンゼン、スピロベンゾピラン、フリルフルギド、ジアリールエテンなどが含まれる。
【００４２】
以上説明したように、本実施形態の撮像装置１００の制限部７８は、照射される光の強さに応じて、透過させる光の透過率を変化させるフォトクロミック材料を含んでいる。これにより、本実施形態の撮像装置１００は、制御部３（又は制御部７４）による制御を行うことなく、接眼部７３にユーザが接眼していない場合に入射される外光の量を低減することができる。つまり、本実施形態の撮像装置１００は、表示部７１の劣化の程度を低減することができる。
【００４３】
また、本実施形態において撮像装置１００の制限部７８は、照射される所定の周波数領域の電磁波の強さに応じて、透過させる当該電磁波の透過率を変化させるフォトクロミック材料を含んでいる。例えば、本実施形態の制限部７８は、所定の周波数領域の電磁波としての紫外線の強さに応じて、透過させる当該紫外線の透過率を変化させてもよい。これにより、本実施形態の撮像装置１００は、表示部７１に表示される画像、つまり可視光線領域の画像を透過させつつ、外光に含まれる紫外線の強さに応じた透過率によって紫外線の入射を、制限することができる。つまり、本実施形態の撮像装置１００は、表示部７１の劣化の程度を低減することができる。
【００４４】
なお、上述した各実施形態の撮像装置１００の表示装置７は、表示部７１と接眼部７３との間の位置に制限部７８を備えている例を説明したが、これに限られない。例えば、表示装置７は、表示装置７のうちの接眼部７３よりも外側の位置に、制限部７８を備えていてもよい。表示装置７は、例えば、接眼部７３を含めた光学系に、光学レンズを備えている場合がある。このような光学レンズは、例えば紫外線などの電磁波が照射され続けると、劣化することがある。つまり、制限部７８を表示装置７のうちの接眼部７３よりも外側の位置に備えることによって、撮像装置１００の表示装置７は、接眼部７３を含めた光学系に、外光が入射される強さを制限することにより、接眼部７３の光学レンズの劣化を低減することができる。つまり、制限部７８は、接眼部７３を含めた表示装置７の劣化の程度を軽減することができる。
【００４５】
以上、本発明の実施形態を、図面を参照して詳述してきたが、具体的な構成はこの実施形態に限られるものではなく、本発明の趣旨を逸脱しない範囲で適宜変更を加えることができる。
【００４６】
なお、上記の実施形態における制御部３及び制御部７４（以下、総称して制御部ＣＯＮＴと記載する）又はこの制御部ＣＯＮＴが備える各部は、専用のハードウェアにより実現されるものであってもよく、また、メモリおよびマイクロプロセッサにより実現させるものであってもよい。
【００４７】
なお、この制御部ＣＯＮＴ又は制御部ＣＯＮＴが備える各部は、専用のハードウェアにより実現されるものであってもよく、また、この制御部ＣＯＮＴ又は制御部ＣＯＮＴが備える各部はメモリおよびＣＰＵ（中央演算装置）により構成され、制御部ＣＯＮＴ又は制御部ＣＯＮＴが備える各部の機能を実現するためのプログラムをメモリにロードして実行することによりその機能を実現させるものであってもよい。
【００４８】
また、制御部ＣＯＮＴ又は制御部ＣＯＮＴが備える各部の機能を実現するためのプログラムをコンピュータ読み取り可能な記録媒体に記録して、この記録媒体に記録されたプログラムをコンピュータシステムに読み込ませ、実行することにより、制御部ＣＯＮＴ又は制御部ＣＯＮＴが備える各部による処理を行ってもよい。なお、ここでいう「コンピュータシステム」とは、ＯＳや周辺機器等のハードウェアを含むものとする。
【００４９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００５０】
２…撮像部、３…制御部、７…表示装置、７１…表示部、７３…接眼部、７４…制御部、７５…測光部、７８…制限部、７９…検出部、１００…撮像装置
【図１】
2013148790.tif 000003
【図２】
2013148790.tif 000004
【図３】
2013148790.tif 000005
【図４】
2013148790.tif 000006
【図５】
2013148790.tif 000007
【図６】
2013148790.tif 000008